(57)【要約】【課題】  メモリ容量を少なくするとともに、処理負荷を減らすことができる延長先無線制御装置、延長元無線制御装置、通信システムおよび無線制御方法を提供することを目的とする。【解決手段】  受信部２０１が周辺セル情報およびバージョン番号を含んだチャネル追加要求メッセージを受信する。受信された移行先セルにおけるバージョン番号と、メモリ２０４に記憶されているバージョン番号とが一致しているか否かを、バージョン管理部２０２が判断する。そして、バージョン番号が一致していないと判断した場合には、送信部２０３は、メモリ２０４に記憶されている周辺セル情報およびバージョン番号を含んだ応答メッセージをＲＮＣ１００に送信し、バージョン番号が一致していると判断した場合には、周辺セル情報に変更が無い旨の応答メッセージを、ＲＮＣ１００に送信する。【選択図】  図３
2008294568.tif 000002
【特許請求の範囲】
【請求項１】
延長元無線制御装置からの呼制御を配下のセルに位置する移動機に対する呼制御として受け付け、移動機に対する呼制御を行う延長先無線制御装置において、
周辺セル情報およびバージョン番号を記憶する記憶手段と、
前記延長元無線制御装置から周辺セル情報およびバージョン番号を含んだ呼制御追加要求を受信する受信手段と、
前記受信手段により受信されたバージョン番号と前記記憶手段に記憶されているバージョン番号とが一致しているか否かを判断するバージョン判断手段と、
前記バージョン判断手段によりバージョン番号が一致していないと判断した場合には、前記記憶手段に記憶されている周辺セル情報およびバージョン番号を含んだ応答メッセージを前記延長元無線制御装置に送信し、前記バージョン判断手段によりバージョン番号が一致していると判断した場合には、周辺セル情報に変更が無い旨の応答メッセージを、前記延長元無線制御装置に送信する送信手段と、
を備える延長先無線制御装置。
【請求項２】
前記記憶手段に記憶されている周辺セル情報に変更があったか否かを判断するセル情報判断手段と、
前記セル情報判断手段により周辺セル情報に変更があったと判断された場合には、前記記憶手段に記憶されているバージョン番号を更新するバージョン更新手段と、
を備える請求項１に記載の延長先無線制御装置。
【請求項３】
請求項１の延長先無線制御装置の配下のセルに位置する移動機に対して呼制御を行う延長元無線制御装置であって、
前記延長先無線制御装置から送信される周辺セル情報およびバージョン番号を記憶する呼制御用記憶手段と、
前記移動機から呼制御追加要求を受けると、呼制御追加要求を前記延長先無線制御装置に送信する呼制御追加要求手段と、
前記呼制御追加要求手段により送信された呼制御追加要求に応じて前記延長先無線制御装置から応答メッセージを受信する応答受信手段と、
前記応答受信手段により受信された応答メッセージに周辺セル情報およびバージョン番号が含まれている場合には、前記呼制御用記憶手段に記憶されているセル情報およびバージョン番号を更新し、前記応答受信手段により受信された応答メッセージが周辺セル情報に変更が無い旨の応答メッセージである場合には、前記呼制御用記憶手段の記憶内容を更新しない制御を行う更新手段と、
前記呼制御用記憶手段に記憶されている周辺セル情報を用いて前記延長先無線制御装置のセルに位置する移動機の呼制御を行う呼制御手段と、
を備える延長元無線制御装置。
【請求項４】
前記延長先無線制御装置の配下の所定のセルに対する呼制御追加要求が初めてであるか否かを判断する呼制御要求判断手段と、
前記呼制御要求判断手段により初めてであると判断された場合には、呼制御追加要求を送信し、前記呼制御要求判断手段により初めてでないと判断された場合には、周辺セル情報およびバージョン番号を含んだ呼制御追加要求を送信する呼制御要求手段と、を備え、
前記更新手段は、前記応答受信手段が前記呼制御要求手段による呼制御追加要求の応答として周辺セル情報およびバージョン番号を含んだ応答メッセージを受信した場合には、前記呼制御用記憶手段に記憶されている周辺セル情報およびバージョン番号を、前記受信した周辺セル情報およびバージョン番号に更新することを特徴とする請求項３に記載の延長元無線制御装置。
【請求項５】
請求項１に記載の延長先無線制御装置と、請求項３に記載の延長元無線制御装置と、を備えた通信システム。
【請求項６】
延長元無線制御装置からの呼制御を配下のセルに位置する移動機に対する呼制御として受け付け、前記移動機に対する呼制御を行い、記憶手段に周辺セル情報およびバージョン番号を記憶する延長先無線制御装置における無線制御方法において、
前記延長元無線制御装置から周辺セル情報およびバージョン番号を含んだ呼制御追加要求を受信する受信ステップと、
前記受信ステップにより受信されたバージョン番号と前記記憶手段に記憶されているバージョン番号とが一致しているか否かを判断するバージョン判断ステップと、
前記バージョン判断ステップによりバージョン番号が一致していないと判断した場合には、前記記憶手段に記憶されている周辺セル情報およびバージョン番号を含んだ応答メッセージを前記延長元無線制御装置に送信し、前記バージョン判断ステップによりバージョン番号が一致していると判断した場合には、周辺セル情報に変更が無い旨の応答メッセージを、前記延長元無線制御装置に送信する送信ステップと、
を備える延長先無線制御方法。
【請求項７】
呼制御用記憶手段に前記延長先無線制御装置から送信される周辺セル情報およびバージョン番号を記憶し、請求項１に記載の延長先無線制御装置の配下のセルに位置する移動機に対して呼制御を行う延長元無線制御装置における無線制御方法であって、
前記移動機から呼制御追加要求を受けると、呼制御追加要求を前記延長先無線制御装置に送信する呼制御追加要求ステップと、
前記呼制御追加要求ステップにより送信された呼制御追加要求に応じて前記延長先無線制御装置から応答メッセージを受信する応答受信ステップと、
前記応答受信ステップにより受信された応答メッセージに周辺セル情報およびバージョン番号が含まれている場合には、前記呼制御用記憶手段に記憶されているセル情報およびバージョン番号を更新し、前記応答受信ステップにより受信された応答メッセージが周辺セル情報に変更が無い旨の応答メッセージである場合には、前記呼制御用記憶手段の記憶内容を更新しない制御を行う更新ステップと、
前記呼制御用記憶手段に記憶されている周辺セル情報を用いて前記延長先無線制御装置のセルに位置する移動機の呼制御を行う呼制御ステップと、
を備える無線制御方法。
【発明の詳細な説明】
【技術分野】
【０００１】
本発明は、無線通信を行う移動機に対して加入者線延長を行って通信制御を行う延長先無線制御装置、延長元無線制御装置、通信システムおよび無線制御方法に関する。
【背景技術】
【０００２】
セルラー移動通信システムは、複数セルでサービスエリアが構成され、それらのセルをまたがる際に、新たなセルとのチャネルを追加して（これらをハンドオーバと呼ぶ）通信を行う特徴を持っている。そのセルラー移動通信システムにおいて、ハンドオーバ時でも呼制御を行うＲＮＣ（Radio Network Controller）を変えない方式では、ハンドオーバ時に、異なるＲＮＣ配下のセルをまたがって通信を行う状態（以後、加入者線延長と呼ぶ）が生じることがある。加入者線延長元のＲＮＣは、加入者線延長時において、移動機がチャネルを追加されたセルからさらに別セルにハンドオーバする時に必要な周辺セル情報（周辺セルのセル毎のＩＤや送信パワー等そのセルに関する複数の情報が含まれる）を持っている必要がある。加入者線延長については、下記特許文献１にその概要が記載されている。
【特許文献１】特開２００１−２５０４６号公報
【発明の開示】
【発明が解決しようとする課題】
【０００３】
この周辺セル情報を各ＲＮＣが有する方法として以下の方法が考えられている。運用しているＮＷ上の全ＲＮＣの全セルの周辺セル情報をメモリにストアしておく方式（以下方式（１）と呼ぶ）、または加入者線延長先のセルに移動機がチャネル追加するたびに、そのセルの周辺セル情報を取得する方式（以下方式（２）と呼ぶ）である。
【０００４】
ところで、周辺セル情報は、移動機がそのセルからさらに移動する可能性のある全セルに関する情報を含んでいるため、非常に情報量が多い。
【０００５】
方式（１）では運用しているＮＷ上の全ＲＮＣの全セルのその周辺セル情報をメモリにストアするため、たったひとつのセルの情報や周辺セルの構成が変更になるだけで、運用しているＮＷ上の全ＲＮＣの周辺セル内の情報を変更する必要があり、変更時に大変な手間となる。なおかつ、あるＲＮＣから実際加入者線延長先のセルになることがないようなセルの周辺セル情報もストアする必要があるため（移動機がどのようなセルに移動しないかは予測ができないので全ての情報をもっている必要がる。）、不必要な分まで非常に多くのメモリ領域を持っていないといけない。
【０００６】
一方、方式（２）では、方式（１）と比較し、あるセルの情報や周辺セルの構成が変更になった時の手間が必要最小限であり、また移動機が移動しえる最小限のセルの周辺情報のみをストアするだけでよいので、大幅にメモリ容量削減できる利点があるが、その反面、非常に情報量が多い周辺セル情報を、加入者線延長が生じるたびにＲＮＣ間で転送されるため、ＲＮＣ区間の伝送容量を大量に利用されてしまうと共に、情報のやりとりに伴う処理負荷が大きい。
【０００７】
本発明は、上記課題に鑑みてなされたものであり、メモリ容量を少なくするとともに、処理負荷を減らすことができる延長先無線制御装置、延長元無線制御装置、通信システムおよび無線制御方法を提供することを目的とする。
【課題を解決するための手段】
【０００８】
上述の課題を解決するために、本発明の延長先無線制御装置は、延長元無線制御装置からの呼制御を配下のセルに位置する移動機に対する呼制御として受け付け、移動機に対する呼制御を行う延長先無線制御装置において、周辺セル情報およびバージョン番号を記憶する記憶手段と、前記延長元無線制御装置から周辺セル情報およびバージョン番号を含んだ呼制御追加要求を受信する受信手段と、前記受信手段により受信されたバージョン番号と前記記憶手段に記憶されているバージョン番号とが一致しているか否かを判断するバージョン判断手段と、前記バージョン判断手段によりバージョン番号が一致していないと判断した場合には、前記記憶手段に記憶されている周辺セル情報およびバージョン番号を含んだ応答メッセージを前記延長元無線制御装置に送信し、前記バージョン判断手段によりバージョン番号が一致していると判断した場合には、周辺セル情報に変更が無い旨の応答メッセージを、前記延長元無線制御装置に送信する送信手段と、を備えている。
【０００９】
この発明によれば、延長元無線制御装置から周辺セル情報およびバージョン番号を含んだ呼制御追加要求を受信し、受信されたバージョン番号と予め記憶されているバージョン番号とが一致しているか否かを判断する。そして、バージョン番号が一致していないと判断した場合には、記憶されている周辺セル情報およびバージョン番号を含んだ応答メッセージを延長元無線制御装置に送信し、バージョン番号が一致していると判断した場合には、周辺セル情報に変更が無い旨の応答メッセージを、延長元無線制御装置に送信する。これにより、セルの情報や周辺セルの構成が変更になった時の手間が必要最小限であり、また通信中の移動機が移動しえる最小限のセルの周辺情報のみを記憶するだけでよいので、大幅にメモリ容量削減できる。また、無線制御装置区間の伝送容量および処理負荷を減らすことができ、伝送路のコスト減を実現することができる。さらに、伝送路のコスト減と処理負荷減に伴い設置ＲＮＣ数を減らすことが可能となる。
【００１０】
また、本発明の延長先無線制御装置は、前記記憶手段に記憶されている周辺セル情報に変更があったか否かを判断するセル情報判断手段と、前記セル情報判断手段により周辺セル情報に変更があったと判断された場合には、前記記憶手段に記憶されているバージョン番号を更新するバージョン更新手段と、を備えることが好ましい。
【００１１】
この発明によれば、記憶手段に記憶されている周辺セル情報に変更があったか否かを判断し、周辺セル情報に変更があったと判断された場合には、記憶手段に記憶されているバージョン番号を更新する。これにより、バージョン番号に基づいた更新処理を迅速かつ確実に行うことができる。
【００１２】
また、本発明の延長元無線制御装置は、上記延長先無線制御装置の配下のセルに位置する移動機に対して呼制御を行う延長元無線制御装置であって、前記延長先無線制御装置から送信される周辺セル情報およびバージョン番号を記憶する呼制御用記憶手段と、前記移動機から呼制御追加要求を受けると、呼制御追加要求を前記延長先無線制御装置に送信する呼制御追加要求手段と、前記呼制御追加要求手段により送信された呼制御追加要求に応じて前記延長先無線制御装置から応答メッセージを受信する応答受信手段と、前記応答受信手段により受信された応答メッセージに周辺セル情報およびバージョン番号が含まれている場合には、前記呼制御用記憶手段に記憶されているセル情報およびバージョン番号を更新し、前記応答受信手段により受信された応答メッセージが周辺セル情報に変更が無い旨の応答メッセージである場合には、前記呼制御用記憶手段の記憶内容を更新しない制御を行う更新手段と、前記呼制御用記憶手段に記憶されている周辺セル情報を用いて前記延長先無線制御装置のセルに位置する移動機の呼制御を行う呼制御手段と、を備えている。
【００１３】
この発明によれば、移動機から呼制御追加要求を受けると、呼制御追加要求を延長先無線制御装置に送信し、送信された呼制御追加要求に応じて延長先無線制御装置から応答メッセージを受信する。そして、受信された応答メッセージに周辺セル情報およびバージョン番号が含まれている場合には、記憶されているセル情報およびバージョン番号を更新し、受信された応答メッセージが周辺セル情報に変更が無い旨の応答メッセージである場合には、記憶内容を更新しない制御を行う。よって、セルの情報や周辺セルの構成が変更になった時の手間が必要最小限であり、また通信中の移動機が移動しえる最小限のセルの周辺情報のみを記憶するだけでよいので、大幅にメモリ容量削減できる。また、無線制御装置区間の伝送容量および処理負荷を減らすことができ、伝送路のコスト減を実現することができる。そして、このような処理により記憶された周辺セル情報を用いて延長先無線制御装置のセルに位置する移動機の呼制御を行うことができる。さらに、伝送路のコスト減と処理負荷減に伴い設置ＲＮＣ数を減らすことが可能となる。
【００１４】
また、本発明の延長元無線制御装置は、前記延長先無線制御装置の配下の所定のセルに対する呼制御追加要求が初めてであるか否かを判断する呼制御要求判断手段と、前記呼制御要求判断手段により初めてであると判断された場合には、呼制御追加要求を送信し、前記呼制御要求判断手段により初めてでないと判断された場合には、周辺セル情報およびバージョン番号を含んだ呼制御追加要求を送信する呼制御要求手段と、を備え、前記更新手段は、前記応答受信手段が前記呼制御要求手段による呼制御追加要求の応答として周辺セル情報およびバージョン番号を含んだ応答メッセージを受信した場合には、前記呼制御用記憶手段に記憶されている周辺セル情報およびバージョン番号を、前記受信した周辺セル情報およびバージョン番号に更新することが好ましい。
【００１５】
この発明によれば、延長先無線制御装置の配下の所定のセルに対する呼制御追加要求が初めてであるか否かを判断し、初めてであると判断された場合には、呼制御追加要求を送信し、初めてでないと判断された場合には、周辺セル情報およびバージョン番号を含んだ呼制御追加要求を送信する。そして、呼制御追加要求の応答として周辺セル情報およびバージョン番号を含んだ応答メッセージを受信した場合には、予め記憶されている周辺セル情報およびバージョン番号を、受信した周辺セル情報およびバージョン番号に更新する。これにより、変更があったときまたは新たな周辺セル情報およびバージョン番号を取得し、取得された周辺セル情報を用いて延長先無線制御装置のセルに位置する移動機の呼制御を行うことができる。よって、無線制御装置区間の伝送容量および処理負荷を減らすことができ、伝送路のコスト減を実現することができる。
【００１６】
ところで、本発明は、以下に示すとおり、通信システム、無線制御方法として捉えることもできる。これら発明は、カテゴリーが異なるだけであり、その作用効果において、上述延長先無線制御装置、延長元無線制御装置と実質的に同一である。
【００１７】
すなわち、本発明の通信システムは、上記延長先無線制御装置と、上記延長元無線制御装置と、を備えている。
【００１８】
また、本発明の無線制御方法は、延長元無線制御装置からの呼制御を配下のセルに位置する移動機に対する呼制御として受け付け、前記移動機に対する呼制御を行い、記憶手段に周辺セル情報およびバージョン番号を記憶する延長先無線制御装置における無線制御方法において、前記延長元無線制御装置から周辺セル情報およびバージョン番号を含んだ呼制御追加要求を受信する受信ステップと、前記受信ステップにより受信されたバージョン番号と前記記憶手段に記憶されているバージョン番号とが一致しているか否かを判断するバージョン判断ステップと、前記バージョン判断ステップによりバージョン番号が一致していないと判断した場合には、前記記憶手段に記憶されている周辺セル情報およびバージョン番号を含んだ応答メッセージを前記延長元無線制御装置に送信し、前記バージョン判断ステップによりバージョン番号が一致していると判断した場合には、周辺セル情報に変更が無い旨の応答メッセージを、前記延長元無線制御装置に送信する送信ステップと、を備えている。
【００１９】
また、本発明の無線制御方法は、呼制御用記憶手段に前記延長先無線制御装置から送信される周辺セル情報およびバージョン番号を記憶し、請求項１に記載の延長先無線制御装置の配下のセルに位置する移動機に対して呼制御を行う延長元無線制御装置における無線制御方法であって、前記移動機から呼制御追加要求を受けると、呼制御追加要求を前記延長先無線制御装置に送信する呼制御追加要求ステップと、前記呼制御追加要求ステップにより送信された呼制御追加要求に応じて前記延長先無線制御装置から応答メッセージを受信する応答受信ステップと、前記応答受信ステップにより受信された応答メッセージに周辺セル情報およびバージョン番号が含まれている場合には、前記呼制御用記憶手段に記憶されているセル情報およびバージョン番号を更新し、前記応答受信ステップにより受信された応答メッセージが周辺セル情報に変更が無い旨の応答メッセージである場合には、前記呼制御用記憶手段の記憶内容を更新しない制御を行う更新ステップと、前記呼制御用記憶手段に記憶されている周辺セル情報を用いて前記延長先無線制御装置のセルに位置する移動機の呼制御を行う呼制御ステップと、を備えている。
【発明の効果】
【００２０】
本発明によれば、セルの情報や周辺セルの構成が変更になった時の手間が必要最小限であり、また通信中の移動機が移動しえる最小限のセルの周辺情報のみを記憶するだけでよいので、大幅にメモリ容量削減できる。また、無線制御装置区間の伝送容量および処理負荷を減らすことができ、伝送路のコスト減を実現することができる。さらに、伝送路のコスト減と処理負荷減に伴い設置ＲＮＣ数を減らすことが可能となる。
【発明を実施するための最良の形態】
【００２１】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００２２】
図１に、本発明の実施形態に係るセルラー移動通信システム１の概略構成図を示す。本実施形態に係るセルラー移動通信システム１は、移動機１０と、所定の領域内で離間配置され移動機１０との間で無線信号の送受信を行う無線基地局１２、１４と、無線基地局１２と接続され、無線基地局１２を制御すると共に、コアネットワーク２４と接続されている無線制御装置（ＲＮＣ）１００と、無線基地局１４と接続され、無線基地局１４を制御すると共に、コアネットワーク２４と接続されている無線制御装置（ＲＮＣ）２００と、を備えている。ＲＮＣ１００と、ＲＮＣ１００が制御する無線基地局１２とでサブシステム２６が構成され、ＲＮＣ２００と、ＲＮＣ２００が制御する無線基地局１４とでサブシステム２８が構成される。また、移動機１０が無線基地局１２と無線通信できる地理的範囲をセル３０で、無線基地局１４と無線通信できる地理的範囲をセル３２で示す。なお、本実施形態では、ＲＮＣ１００、２００が制御する無線基地局の数をそれぞれ１つにしているが、１つのＲＮＣが複数の無線基地局を制御する構成であってもよい。
【００２３】
図１を用いて、加入者線延長について説明する。セル３０に位置する移動機１０が無線基地局１２と通信を開始したとする。移動機１０はセル３０におけるチャネルで通信を継続しながら移動し、セル３２へ入るとする。この際に、移動機１０はセル３２におけるチャネルを追加して通信を行う。ここで、セル３０とセル３２とは異なるＲＮＣ配下のセルであるが、セル３２における呼制御を、セル３２を配下にもつＲＮＣ２００を中継して、通信を開始したセル３０を配下にもつＲＮＣ１００で行う。このような呼制御を加入者線延長と呼ぶ。加入者線延長先のＲＮＣ（上記の例ではＲＮＣ２００）をＤＲＮＣ、加入者線延長元のＲＮＣ（上記の例ではＲＮＣ１００）をＳＲＮＣと呼ぶ。
【００２４】
加入者線延長が生じた際に、ＳＲＮＣであるＲＮＣ１００は、ＤＲＮＣであるＲＮＣ２００の配下のセル３２から移動機１０が他のセルへハンドオーバするときに必要な周辺セル情報をＲＮＣ２００から転送してもらう。これを周辺セル情報転送制御と呼ぶ。
【００２５】
つぎに、このような加入者線延長を実行することができるＲＮＣ１００およびＲＮＣ２００について説明する。図２は、加入者線延長元の延長元無線制御装置であるＲＮＣ１００の構成を示すブロック図である。
【００２６】
このＲＮＣ１００は、呼制御部１０１（呼制御手段）、メモリ１０２（呼制御用記憶手段）、受信部１０３（応答受信手段）、更新部１０４（更新手段）、判断部１０５、要求部１０６（呼制御追加要求手段）および通知部１０７を含んで構成されている。以下各構成について説明する。
【００２７】
呼制御部１０１は、メモリ１０２に記憶されている周辺セル情報を用いて、配下のセルに位置する移動機１０または加入者線延長先のＲＮＣ２００の配下のセルに位置する移動機１０の呼制御を行う部分である。
【００２８】
メモリ１０２は、移動機１０が移動することが可能なセルにおける周辺セル情報およびバージョン番号をセルごとに区別して記憶する部分であり、呼制御部１０１は、当該メモリ１０２に記憶されている情報を用いて呼制御を行うことができる。
【００２９】
受信部１０３は、ＲＮＣ２００から、要求部１０６によるチャネル追加要求メッセージに応じて送信された応答メッセージ（移動機１０が移動しようとした移行先セルを示す情報、ならびにその移行先セルに対応した周辺セル情報およびバージョン番号を含む）を受信する部分である。受信部１０３は周辺セル情報およびバージョン番号を受信すると、ＲＮＣ２００から受信した移行先セルを示す情報、周辺セル情報およびバージョン番号を更新部１０４に出力する。
【００３０】
また、受信部１０３は、上述応答メッセージの受信に先立って、移動機１０が他のセルに移動しようとした場合に、その移動機１０から送信される移行先セルに対するチャネル追加要求を受信する部分である。なお、このチャネル追加要求は、ＲＮＣ２００の配下のセルに移動機１０が移動しようとした場合における当該セルに対するものであり、その移行先セルを示す情報が含まれている。受信部１０３は、このチャネル追加要求を受信すると、判断部１０５にその旨を出力する。
【００３１】
更新部１０４は、判断部１０５において、受信部１０３が周辺セル情報とバージョン番号とを含んだ応答メッセージを受信したと判断した場合に、メモリ１０２に記憶されている移行先セルに対応する周辺セル情報およびバージョン番号を書き換えて更新する処理を行う。
【００３２】
判断部１０５は、受信部１０３において移動機１０からチャネル追加要求が受信されると、移行先セルに対する要求部１０６によるチャネル追加要求が初めてであるか否かを判断する部分である。なお、判断する方法としては２つあり、当該セルのバージョン番号がメモリ１０２に記憶されているかどうかで判断する方法と、当該セルにチャネル追加要求を行ったことを示す情報を記憶または移動機１０からのチャネル追加要求内に設定しておき、その情報を判断する方法のどちらの方法を使用してもよい。また、判断部１０５は周辺セル情報とバージョン番号とを含んだ応答メッセージを受信したか否かを判断する部分である。
【００３３】
要求部１０６は、判断部１０５によりＲＮＣ２００によるチャネル追加要求が初めてであると判断した場合には、ＲＮＣ２００に、初めてのチャネル追加要求であることを示す通知情報および移行先セルを示す情報とともにチャネル追加要求メッセージ（呼制御追加要求に相当）を送信し、その応答を待つ部分である。初めてでないと判断した場合には、移行先セルを示す情報とともにチャネル追加要求メッセージとともに当該セルに関する周辺セル情報のバージョン番号をＲＮＣ２００に送信する部分である。要求部１０６により送信されたチャネル追加要求メッセージに対する応答は、上述したとおり受信部１０３が受信することになる。
【００３４】
通知部１０７は、更新部１０４による更新処理が行われると、移動機１０に対して更新した周辺セル情報を通知する部分である。移動機１０では、ここで通知された周辺セル情報を用いて呼制御処理を行うことができる。
【００３５】
このようにして構成された加入者線延長処理における延長元無線制御装置であるＲＮＣ１００は、加入者線延長先の無線制御装置であるＲＮＣ２００に対して、周辺セル情報を取得することができるとともに、周辺セル情報に変更がない場合には、その旨を受信することで、メモリ１０２における周辺セル情報の更新処理を行わずにすむ。
【００３６】
つぎに、加入者線延長先の延長先無線制御装置であるＲＮＣ２００の構成について説明する。図３は、加入者線延長先の延長先無線制御装置であるＲＮＣ２００の構成を示すブロック図である。このＲＮＣ２００は、受信部２０１（受信手段）、バージョン管理部２０２（比較テーブル２０２ａを含む）（バージョン判断部）、送信部２０３（送信手段）、メモリ２０４（記憶手段）、セル情報判断部２０５（セル情報判断手段）、およびバージョン更新部２０６（バージョン更新手段）を含んで構成されている。このＲＮＣ２００は、ＲＮＣ１００からの呼制御を配下のセルに位置する移動機に対する呼制御として受け付け、当該移動機に対して呼制御を行うものである。
【００３７】
受信部２０１は、ＲＮＣ１００からＲＮＣ２００の配下のセル（移行先セル）に対するチャネル追加要求メッセージおよび周辺セル情報のバージョン番号を受信する部分である。
【００３８】
バージョン管理部２０２は、ＲＮＣ１００から初めてチャネル追加要求を受けたか否かを、ＲＮＣ１００から送信される通知情報に基づいて判断する部分である。また、バージョン管理部２０２は、その内部に比較テーブル２０２ａを備えており、その比較テーブル２０２ａに受信部２０１により受信されたバージョン番号を移行先セルを示す情報に対応付けて一時的に記憶させる。そして、バージョン管理部２０２は、ＲＮＣ１００から初めてのチャネル追加要求ではないと判断した場合には、移行先セルにおける周辺セル情報のバージョン番号（比較テーブル２０２ａに記憶されているバージョン番号）と、この移行先セルに対応するメモリ２０４に記憶しているバージョン番号とを比較する。そして、バージョン管理部２０２が、受信したバージョン番号と記憶しているバージョン番号との比較結果を送信部２０３に出力する。
【００３９】
送信部２０３は、バージョン管理部２０２により２つのバージョン番号が一致していると判断した場合には、周辺セル情報およびバージョン番号を含まない応答メッセージをＲＮＣ１００に送信し、バージョン番号が一致していないと判断した場合には、メモリ２０４に記憶されている周辺セル情報およびバージョン番号を含んだ応答メッセージならびに移行先セルを示した情報を送信する部分である。
【００４０】
メモリ２０４は、ＲＮＣ２００の配下のセルの周辺セルの周辺セル情報およびバージョン番号を記憶する部分であり、移動機１０が移動することが可能なセルにおける周辺セル情報およびバージョン番号をセルごとに区別して記憶する部分である。例えば、図８に示されるように、各セルごとの周辺セル情報およびバージョン番号が記憶されている。
【００４１】
セル情報判断部２０５は、周辺セルにおける周辺セル情報に変更があったか否かを判断する部分である。周辺のセル（ＲＮＣ）においては、作業者による作業によりセル情報に変更が加えられる場合があり、そのセル情報に変更が加えられた場合、その変更に合わせて作業者は周辺セル情報を変更する作業を行う。セル情報判断部２０５では、その作業者によりメモリ２０４に変更が加えられたか否かにより周辺セル情報の変更の有無を判断することができる。
【００４２】
バージョン更新部２０６は、セル情報判断部２０５により周辺セル情報に変更があったと判断した場合には、メモリ２０４に記憶されている周辺セル情報を書き換える処理を行うとともに、バージョン番号のバージョン番号の更新処理（バージョン番号を１加算する処理）を行う部分である。
【００４３】
以降、図４〜図６におけるフローを用いて、本発明における周辺セル情報転送制御の方法を説明する。なお、図４〜図６のフローにおいては、ＲＮＣ１００を第１のＲＮＣ、ＲＮＣ２００を第２のＲＮＣと称して説明する。
【００４４】
図４に、加入者線延長元のＲＮＣ（ＳＲＮＣ）１００における周辺セル情報転送制御処理を示すフローチャートを示す。本フローが開始されると、ＲＮＣ１００の受信部１０３は、移動機１０からＲＮＣ２００配下のセル（移行先セル）へチャネル追加要求があるか否かを監視する（Ｓ１２）。受信部１０３がＲＮＣ２００配下のセルへチャネル追加要求を受信すると（Ｓ１２：ＹＥＳ)、判断部１０５は当該セルへのチャネル追加要求が初めてか否かを判断する。判断する方法としては２つあり、当該セルのバージョン番号がメモリ１０２に記憶されているかどうかで判断する方法と、当該セルにチャネル追加要求を行ったことを示す情報を設け、その情報を判断する方法のどちらの方法を使用してもよい（Ｓ１４）。
【００４５】
当該セル（移行先セル）へのチャネル追加要求が初めてである場合（Ｓ１４：ＹＥＳ）、要求部１０６はＲＮＣ２００へチャネル追加要求メッセージと初めてのチャネル追加要求である旨を示す通知情報を送信する。なお、初めてするチャネル追加要求である旨を示す通知情報を送信せずバージョン番号も送信しないようにしても良い。（Ｓ１６）。
【００４６】
その後、受信部１０３はＲＮＣ２００から当該セルに関する周辺セル情報とそのバージョン番号とを含んだ応答メッセージを受信するのを待つ（Ｓ１８）。受信部１０３が当該セルに関する周辺セル情報とそのバージョン番号とを含んだ応答メッセージを受信すると（Ｓ１８：ＹＥＳ）、更新部１０４による処理により、メモリ１０２は当該セルに対応する周辺セル情報とバージョン番号とを保持（または更新）する（Ｓ２６）。その後、通知部１０７は、メモリ１０２に保持している当該セルに関する周辺セル情報を移動機１０に通知する（Ｓ２８）。
【００４７】
一方、ＲＮＣ２００配下のセルへのチャネル追加要求が初めてでない場合（Ｓ１４：ＮＯ）、要求部１０６はＲＮＣ２００へ当該セルに関する周辺セル情報のバージョン番号を含んだチャネル追加要求メッセージ送信する（Ｓ２０）。その後、受信部１０３はＲＮＣ２００からの応答メッセージを待つ（Ｓ２２）。受信部１０３はＲＮＣ２００からの応答メッセージを受信すると（Ｓ２２：ＹＥＳ）、判断部１０５はその応答メッセージと一緒に周辺セル情報とバージョン番号とを受信したか否かを判断する（Ｓ２４）。
【００４８】
周辺セル情報とバージョン番号を含んだ応答メッセージを受信した場合（Ｓ２４：ＹＥＳ）、更新部１０４により、メモリ１０２は受信した周辺セル情報とバージョン番号を保持し（Ｓ２６）、更新部１０４は保持している当該セルに関する周辺セル情報を移動機１０に通知する（Ｓ２８）。応答メッセージに周辺セル情報とバージョン番号とが含まれない場合（Ｓ２４：ＮＯ）、更新部１０４は以前にＲＮＣ２００から受信して保持している当該セルに関する周辺セル情報を移動機に通知する（Ｓ２８）。以降、移動機１０が他のセルに入ったときに、本フローが動作することになる。
【００４９】
つぎに、図５において、加入者線延長先のＲＮＣ（ＤＲＮＣ）であるＲＮＣ２００における周辺セル情報転送制御処理であるフローチャートを示す。受信部２０１は、ＲＮＣ１００からＲＮＣ２００配下のセルへのチャネル追加要求メッセージを受信したか否かを監視する（Ｓ４２）。受信部２０１が当該セルへのチャネル追加要求メッセージを受信すると（Ｓ４２：ＹＥＳ）、ＲＮＣ１００から当該セルへのチャネル追加要求が初めてか否かをバージョン管理部２０２が判断する（Ｓ４４）。初めてであるかどうかの判断方法として２つ存在し、ＲＮＣ１００からバージョン番号が送られてこないことを利用する方法や、初めてである旨を示す通知情報を利用する場合どちらを利用してもよい。但し、ＲＮＣ１００の方法とあわせる必要がある。本実施形態では、初めてである旨を示す通知情報を利用する方法を記載している。
【００５０】
当該セルへのチャネル追加要求が初めてである場合（Ｓ４４：ＹＥＳ）、送信部２０３はＲＮＣ１００へ当該セルに関する周辺セル情報とそのバージョン番号とともに応答メッセージを送信する（Ｓ４６）。当該セルへのチャネル追加要求が初めてでない場合（Ｓ４４：ＮＯ）、バージョン管理部２０２はＲＮＣ１００から受信したチャネル追加要求メッセージに含まれる当該セルに関する周辺セル情報のバージョン番号と、メモリ２０４で保持する当該セルに関する周辺セル情報のバージョン番号とを比較する（Ｓ４８）。この比較により、バージョン番号が同一であるとの結果を得た場合（Ｓ５０：ＹＥＳ）、送信部２０３はＲＮＣ１００へ当該セルに関する周辺セル情報とそのバージョン情報とを送信することなく応答メッセージを送信する（Ｓ５２）。また、比較により、バージョン番号が同一でないとの結果を得た場合（Ｓ５０：ＮＯ）、送信部２０３はＲＮＣ１００へ当該セルに関する周辺セル情報とそのバージョン番号とともに応答メッセージを送信する（Ｓ４６）。Ｓ４６またはＳ５２による処理の終了後、本処理フローは終了となる。
【００５１】
つぎに、図６に、ＲＮＣ２００におけるバージョン番号管理処理を示すフローチャートを示す。本処理フローが開始されると、セル情報判断部２０５は、ＲＮＣ自配下のいずれかのセルの周辺セル情報が変更されたか否かを監視し（Ｓ６０）、作業者により周辺セル情報が変更された場合（Ｓ６０：ＹＥＳ）、バージョン更新部２０６は当該周辺セル情報のバージョン番号に１または２以上を足し（Ｓ６２）、本処理フローは終了となる。
【００５２】
以下図７〜図１３において、本実施形態におけるセルラー移動通信システム１の状態遷移図を示す。
【００５３】
図７に示すように、ＲＮＣ１００は、メモリ１０２、更新部１０４を具備し、ＲＮＣ２００は比較テーブル２０２ａ、メモリ２０４を具備する。これは図２および３の構成を簡略化したものである。
【００５４】
図８において、ＲＮＣ２００は、自配下の各セルに対する周辺セル情報を、ＲＮＣ２００内の自配下セル情報用のメモリ２０４の周辺セル情報領域２０４ａに持っている。すなわち、メモリ２０４は、セルごとに周辺セル情報とバージョン番号とを記憶している。そして、このメモリ２０４において、バージョン更新部２０６により、各セルの周辺セル情報に対し、それぞれバージョン番号が更新され、更新されたバージョン番号をバージョン番号領域２０４ｂに保持される。バージョン更新部２０６は、図６に示す処理を実行する部分であり、あるセルに関する周辺セルの情報に対し、メモリ２０４に記入されたかどうか監視し、１箇所でも記入されると、図９のように、バージョン番号領域２０４ｂに記述されているバージョン番号をひとつまたはふたつ以上大きくする。図１０〜図１３において、このバージョン番号を利用し、周辺セル情報を必要な時だけ転送する時の動作を示す。
【００５５】
図１０において、加入者線延長元の無線制御装置（ＳＲＮＣ）をＲＮＣ１００とし、加入者線延長先の無線制御装置（ＤＲＮＣ）をＲＮＣ２００とする。ＲＮＣ１００は、移動機１０の通信対象セルに対するチャネル追加要求に応じて、ＲＮＣ２００から送信された応答メッセージに周辺セル情報とそのバージョン番号とが含まれていると、それを図４のフローＳ２２、Ｓ２４、Ｓ２６に従いメモリ２０４は保持する。
【００５６】
図１１において、移動機１０が再び同じセルを追加要求する時の動作について説明する。なお、この時移動機１０は前にセル追加要求した時と別の移動機であってもよい。
【００５７】
図１１において、ＲＮＣ１００が、移動機１０からの通信対象セルのチャネル追加要求を再び受信すると、図４の処理Ｓ１４、Ｓ２０に従いＲＮＣ１００が保持しているバージョン番号を含んだ通信対象セルのチャネル追加要求メッセージをＲＮＣ２００に送信する。ＲＮＣ２００は、送信されたバージョン番号を、比較テーブル２０２ａに保持する（前にデータが存在した場合は上書きする）。
【００５８】
図１２において、ＲＮＣ２００は、図５の処理Ｓ４８、５０に従い比較テーブル２０２ａで保持しているバージョン番号と、自配下セル情報用のメモリ２０４で保持しているバージョン番号（図８におけるバージョン番号領域２０４ｂに記憶されているバージョン番号）とを比較し、同じ場合は、図５の処理Ｓ５２に従い、周辺セル情報とバージョン番号とをＲＮＣ１００に送信しない。すなわち、周辺セル情報とバージョン番号とを含まない応答メッセージを送信する。
【００５９】
図１３において、ＲＮＣ１００は、周辺セル情報が送信されなかった場合、すなわち図４の処理Ｓ２４でＮｏとなる場合、通知部１０７はメモリ２０４に保持している周辺セル情報を移動機１０に通知する。
【００６０】
すなわち、ＲＮＣ２００のセルの周辺セル情報がバージョンアップされない限り、セルの追加時に加入者線延長が生じても、サイズの大きい周辺セル情報がＲＮＣ間で転送されず、必要なときだけ転送される。なお、メモリ２０４にストアされたあるセルに関する周辺セル情報は、別移動機が該当セルに移動した時にも参照可能とする。
【００６１】
つぎに、本実施形態のＲＮＣ１００およびＲＮＣ２００の作用効果について説明する。ＲＮＣ２００において、受信部２０１がＲＮＣ１００から、ＲＮＣ２００の配下のセルへの、周辺セル情報およびバージョン番号を含んだチャネル追加要求メッセージを受信する。このセルはＲＮＣ１００において移動機１０が移行しようとする移行先セルを示すものである。この受信部２０１により受信された当該移行先セルにおける周辺セル情報のバージョン番号と、メモリ２０４に記憶されている当該移行先セルに対応する周辺セル情報のバージョン番号とが一致しているか否かを、バージョン管理部２０２が判断する。
【００６２】
具体的には、受信した移行先セルの周辺セル情報のバージョン番号と、メモリ２０４に移行先セルに対応して記憶されている周辺セル情報のバージョン番号との一致を判断する。受信部２０１では、周辺セル情報およびバージョン番号とともに移行先セル（チャネル追加要求の対象セル）を示す情報をも受信することになる。
【００６３】
そして、バージョン番号が一致していないと判断した場合には、送信部２０３は、メモリ２０４に記憶されている周辺セル情報およびバージョン番号を含んだ応答メッセージをＲＮＣ１００に送信し、バージョン番号が一致していると判断した場合には、周辺セル情報に変更が無い旨の応答メッセージを、ＲＮＣ１００に送信する。
【００６４】
これにより、セルの情報や周辺セルの構成が変更になった時の手間が必要最小限であり、また通信中の移動機１０が移動しえる最小限のセルの周辺情報のみを記憶するだけでよいので、大幅にメモリ容量削減できる。また、ＲＮＣ区間の伝送容量および処理負荷を減らすことができ、伝送路のコスト減を実現することができる。
【００６５】
また、ＲＮＣ２００においては、セル情報判断部２０５がメモリ２０４に記憶されている周辺セル情報に変更があったか否かを判断し、周辺セル情報に変更があったと判断された場合には、バージョン更新部２０６はメモリ２０４に記憶されているバージョン番号を更新する。これにより、バージョン番号に基づいた更新処理を迅速かつ確実に行うことができる。
【００６６】
また、ＲＮＣ１００において、要求部１０６は、受信部１０３により移動機１０から移行先セルに対するチャネル追加要求を受けると、チャネル追加要求（移行先セルを示す情報を含む）をＲＮＣ２００に送信し、受信部１０３は、ＲＮＣ２００からチャネル追加要求に応じてＲＮＣ２００から応答メッセージを受信する。そして、受信部１０３により、移行先セルに対するチャネル追加要求に応じて受信された応答メッセージに周辺セル情報およびバージョン番号が含まれていると、判断部１０５が判断した場合には、更新部１０４は、メモリ１０２に記憶されている移行先セルに対応する周辺セル情報およびバージョン番号を、受信した周辺セル情報およびバージョン番号に書き換えて更新する。
【００６７】
また、受信された応答メッセージが周辺セル情報に変更が無い旨の応答メッセージであると、判断部１０５が判断した場合には、更新部１０４はメモリ１０２の記憶内容を更新しない制御を行う。よって、セルの情報や周辺セルの構成が変更になった時の手間が必要最小限であり、また通信中の移動機１０が移動しえる最小限のセルの周辺情報のみを記憶するだけでよいので、大幅にメモリ容量削減できる。また、ＲＮＣ区間の伝送容量および処理負荷を減らすことができ、伝送路のコスト減を実現することができる。そして、このような処理により記憶された周辺セル情報を用いてＲＮＣ２００のセルに位置する移動機の呼制御を行うことができる。
【００６８】
また、ＲＮＣ１００において、判断部１０５がＲＮＣ２００に対するチャネル追加要求が初めてであるか否かを判断し、初めてであると判断された場合には、要求部１０６はチャネル追加要求を送信し、初めてでないと判断された場合には、周辺セル情報およびバージョン番号を含んだチャネル追加要求を送信する。そして、受信部１０３がチャネル追加要求の応答として周辺セル情報およびバージョン番号を含んだ応答メッセージを受信した場合には、更新部１０４はメモリ１０２に記憶されている、ＲＮＣ２００のセルに対応する周辺セル情報およびバージョン番号を、受信した周辺セル情報およびバージョン番号に書き換えて更新する。これにより、変更があったときまたは新たな周辺セル情報およびバージョン番号を取得し、取得された周辺セル情報を用いてＲＮＣ２００のセルに位置する移動機の呼制御を行うことができる。よって、ＲＮＣ区間の伝送容量および処理負荷を減らすことができ、伝送路のコスト減を実現することができる。さらに、伝送路のコスト減と処理負荷減に伴い設置ＲＮＣ数を減らすことが可能となる。
【図面の簡単な説明】
【００６９】
【図１】本発明の実施形態に係るセルラー移動通信システム１の概略構成図である。
【図２】加入者線延長元の延長元無線制御装置であるＲＮＣ１００の構成を示すブロック図である。
【図３】加入者線延長先の延長先無線制御装置であるＲＮＣ２００の構成を示すブロック図である。
【図４】加入者線延長元のＲＮＣ（ＳＲＮＣ）１００における周辺セル情報転送制御処理を示すフローチャートである。
【図５】加入者線延長先のＲＮＣ（ＤＲＮＣ）であるＲＮＣ２００における周辺セル情報転送制御処理であるフローチャートを示す。
【図６】ＲＮＣ２００におけるバージョン番号管理処理を示すフローチャートを示す。
【図７】ＲＮＣ１００およびＲＮＣ２００の概略構成を示す説明図である。
【図８】ＲＮＣ２００のメモリ２０４の記憶内容を示す説明図である。
【図９】ＲＮＣ２００のメモリ２０４に対する概略動作を示す説明図である。
【図１０】ＲＮＣ１００およびＲＮＣ２００のチャネル追加要求応答を行うときの概略動作を示す説明図である。
【図１１】ＲＮＣ１００およびＲＮＣ２００のバージョン番号を抽出するときの概略動作を示す説明図である。
【図１２】ＲＮＣ１００およびＲＮＣ２００のバージョン番号の比較を行うときの概略動作を示す説明図である。
【図１３】ＲＮＣ１００およびＲＮＣ２００の周辺セル情報を移動機１０に通知するときの概略動作を示す説明図である。
【符号の説明】
【００７０】
１…セルラー移動通信システム、１０…移動機、１２…無線基地局、１４…無線基地局、２４…コアネットワーク、２６…サブシステム、２８…サブシステム、３０…セル、３２…セル、１００、２００…ＲＮＣ、１０１…呼制御部、１０２…メモリ、１０３…受信部、１０４…更新部、１０５…判断部、１０６…要求部、１０７…通知部、２０１…受信部、２０２…バージョン管理部、２０２ａ…比較テーブル、２０３…送信部、２０４…メモリ、２０５…セル情報判断部、２０６…バージョン更新部。
【図１】
2008294568.tif 000003
【図２】
2008294568.tif 000004
【図３】
2008294568.tif 000005
【図４】
2008294568.tif 000006
【図５】
2008294568.tif 000007
【図６】
2008294568.tif 000008
【図７】
2008294568.tif 000009
【図８】
2008294568.tif 000010
【図９】
2008294568.tif 000011
【図１０】
2008294568.tif 000012
【図１１】
2008294568.tif 000013
【図１２】
2008294568.tif 000014
【図１３】
2008294568.tif 000015